(57)【要約】【課題】タッチスクリーンディスプレイを用いて起動すること。【解決手段】実施形態によれば、通常状態と前記通常状態より消費電力が低い省電力状態とを有する電子機器は、前記通常状態および前記省電力状態に対応する前記電子機器の電力管理を行う電力管理部と、タッチスクリーンディスプレイと、第１のプログラムおよび一つ以上の他のプログラムの一つを主に実行するプロセッサと、前記電子機器が前記省電力状態の時に、前記タッチスクリーンディスプレイが同時に複数の位置へのタッチを検出した場合、前記電力管理部に対して、前記電子機器を前記通常状態にすることを要求する要求手段と、前記電子機器が前記通常状態になり、前記検出されたタッチ位置の数が前記第１のプログラムに対応する場合、前記第１のプログラムを起動し、前記プロセッサに前記第１のプログラムを主に実行させる制御手段とを具備する。【選択図】    図３
2013246631.tif 000002
【特許請求の範囲】
【請求項１】
通常状態と前記通常状態より消費電力が低い省電力状態とを有する電子機器であって、
前記通常状態および前記省電力状態に対応する前記電子機器の電力管理を行う電力管理部と、
タッチスクリーンディスプレイと、
第１のプログラムおよび一つ以上の他のプログラムの一つを主に実行するプロセッサと、
前記電子機器が前記省電力状態の時に、前記タッチスクリーンディスプレイが同時に複数の位置へのタッチを検出した場合、前記電力管理部に対して、前記電子機器を前記通常状態にすることを要求する要求手段と、
前記電子機器が前記通常状態になり、前記検出されたタッチ位置の数が前記第１のプログラムに対応する場合、前記第１のプログラムを起動し、前記プロセッサに前記第１のプログラムを主に実行させる制御手段と
を具備する電子機器。
【請求項２】
前記第１のプログラムを起動した後、前記制御手段は、前記一つ以上の他のプログラムの起動を禁止し、前記プロセッサが主に実行するプログラムを前記第１のプログラムから前記他のプログラムの一つに切り替えることを禁止する
請求項１に記載の電子機器。
【請求項３】
前記タッチスクリーンディスプレイが同時に複数の位置へのタッチを検出した場合に、前記検出されたタッチ位置の数を示す第１のタッチ位置数情報を格納する第１の記憶部と、
前記第１のタッチ位置数情報と、前記第１のタッチ位置数情報に関連付けられ、前記第１のプログラムを示すプログラム情報とを含む起動プログラム情報を格納する第２の記憶部と
を更に具備し、
前記制御手段は、前記起動プログラム情報から前記第１のタッチ位置数情報に関連付けられている前記プログラム情報を取得し、前記プログラム情報に基づいて前記第１のプログラムを起動する請求項１または２の何れか１項に記載の電子機器。
【請求項４】
前記電子機器をオフ状態からオン状態にするためのパワーボタンを具備し、
前記電力管理部は、前記電子機器がオフ状態、且つ前記パワーボタンの操作中に前記タッチスクリーンディスプレイが同時に複数の位置へのタッチを検出している場合、前記電子機器を前記オン状態にするための処理を実行する請求項１、２、または３の何れか１項に記載の電子機器。
【請求項５】
前記第１のプログラムおよび前記他のプログラムの内の一つのプログラムによって生成された表示データに基づいた画像だけを前記タッチスクリーンディスプレイに表示するための処理を行う表示処理手段を更に具備する
請求項１、２、３、または４の何れか１項に記載の電子機器。
【請求項６】
通常状態と前記通常状態より消費電力が低い省電力状態とを有する電子機器の起動方法であって、
前記電子機器が前記省電力状態の時に、タッチスクリーンディスプレイが同時に複数の位置へのタッチを検出した場合、前記電子機器を前記省電力状態から前記通常状態へ移行させ、
前記通常状態への移行後に、前記検出されたタッチ位置の数が第１のプログラムに対応する場合、前記第１のプログラムを起動する
を具備する電子機器の起動方法。
【請求項７】
電子機器であって、
タッチスクリーンディスプレイと、
前記電子機器をオフ状態からオン状態に移行させるためのパワーボタンと、
前記電子機器をオン状態にするためのパワーボタンが操作されると共に、前記タッチスクリーンディスプレイが同時に２以上の設定された数の位置へのタッチを検出している場合、前記電子機器を前記オン状態に移行させるための処理を実行する起動処理手段と
を具備する電子機器。
【請求項８】
前記電子機器をオン状態にするためのパワーボタンが操作された場合、前記タッチスクリーンディスプレイに駆動電力を供給する電力管理部を更に具備し、
前記タッチされている位置の数が設定された数と異なる場合、前記電力管理部は、前記タッチスクリーンディスプレイへの駆動電力の供給を停止する
請求項７に記載の電子機器。
【請求項９】
電子機器の起動方法であって、
前記電子機器をオン状態にするためのパワーボタンが操作されると共に、タッチスクリーンディスプレイが同時に２以上の設定された数の位置へのタッチを検出している場合、前記電子機器をオン状態にするための処理を実行する
電子機器の起動方法。
【請求項１０】
前記電子機器をオン状態にするためのパワーボタンが操作された場合、前記タッチスクリーンディスプレイに駆動電力を供給し、
前記タッチされている位置の数が設定された数と異なる場合、前記タッチスクリーンディスプレイへの駆動電力の供給を停止する
請求項９に記載の電子機器の起動方法。
【発明の詳細な説明】
【技術分野】
【０００１】
本発明の実施形態は、タッチスクリーンディスプレイを備えた電子機器および同電子機器の起動方法に関する。
【背景技術】
【０００２】
近年、タブレット、ＰＤＡ、スマートフォンといった種々の電子機器が開発されている。この種の電子機器の多くは、ユーザによる入力操作を容易にするために、タッチスクリーンディスプレイを備えている。
【先行技術文献】
【特許文献】
【０００３】
【特許文献１】特開平０６−３４８３７４号公報
【発明の概要】
【発明が解決しようとする課題】
【０００４】
タッチスクリーンディスプレイを用いて電子機器を起動することが望まれている。
【０００５】
本発明の目的は、タッチスクリーンディスプレイを用いて起動することが可能な電子機器及び電子機器の起動方法を提供することである。
【課題を解決するための手段】
【０００６】
実施形態によれば、通常状態と前記通常状態より消費電力が低い省電力状態とを有する電子機器は、電力管理部と、タッチスクリーンディスプレイと、プロセッサと、要求手段と、制御手段とを具備する。前記電力管理部は、前記通常状態および前記省電力状態に対応する前記電子機器の電力管理を行う。前記プロセッサは、第１のプログラムおよび一つ以上の他のプログラムの一つを主に実行する。前記要求手段は、前記電子機器が前記省電力状態の時に、前記タッチスクリーンディスプレイが同時に複数の位置へのタッチを検出した場合、前記電力管理部に対して、前記電子機器を前記通常状態にすることを要求する。前記制御手段は、前記電子機器が前記通常状態になり、前記検出されたタッチ位置の数が前記第１のプログラムに対応する場合、前記第１のプログラムを起動し、前記プロセッサに前記第１のプログラムを主に実行させる。
【図面の簡単な説明】
【０００７】
【図１】実施形態の電子機器の外観を示す斜視図。
【図２】実施形態の電子機器のシステム構成を示すブロック図。
【図３】簡易起動を実現するためのシステム構成を示すブロック図。
【図４】割り当てテーブルに格納されているデータを示す図。
【図５】簡易起動の処理の手順を示すフローチャート。
【図６】パワーオン時の処理の手順を示すフローチャート。
【発明を実施するための形態】
【０００８】
以下、実施の形態について図面を参照して説明する。  
先ず、図１を参照して、本実施形態の電子機器の構成を説明する。この電子機器は、携帯型の端末、たとえば、タブレット型パーソナルコンピュータ、ラップトップ型またはノートブック型のパーソナルコンピュータ、またはＰＤＡ、として実現し得る。以下では、この電子番組ガイド表示装置がタブレット型パーソナルコンピュータ１０（以下、コンピュータ１０と称す。）として実現されている場合を想定する。
【０００９】
図１は、コンピュータ１０の外観を示す図である。このコンピュータ１０は、コンピュータ本体１１と、タッチスクリーンディスプレイ１７とから構成される。コンピュータ本体１は薄い箱形の筐体を有している。コンピュータ本体１１の表面には本コンピュータ１０をパワーオン／パワーオフするためのパワーボタン１４が設けられ、コンピュータ本体１１の正面にはカメラ１５が設けられている。タッチスクリーンディスプレイ１７はコンピュータ本体１の表面上に配置される。タッチスクリーンディスプレイ１７は、フラットパネルディスプレイ（たとえば、液晶表示装置（ＬＣＤ））と、タッチパネルとを備える。タッチパネルは、ＬＣＤの画面を覆うように設けられる。タッチパネルは、ユーザの指またはペンによってタッチされたタッチスクリーンディスプレイ１７上の位置を検出するように構成されている。
【００１０】
図２は、コンピュータ１０のシステム構成の一例を示すブロック図である。  
コンピュータ１０は、中央処理装置（ＣＰＵ：Central Processing Unit）１０１、ブリッジ回路１０２、主メモリ１０３、グラフィクスコントローラ（ＧＰＵ）１０５、サウンドコントローラ１０６、ＢＩＯＳ−ＲＯＭ１０７、ソリッドステートドライブ（ＳＳＤ）１０９、ＢＴ（Bluetooth（登録商標））モジュール１１０、カードスロット１１１、無線ＬＡＮコントローラ１１２、エンベデッドコントローラ（ＥＣ）１１３、ＥＥＰＲＯＭ１１４、ＵＳＢコネクタ１３、タッチスクリーンディスプレイ１７、ビデオメモリ（ＶＲＡＭ）１０５Ａ、電源回路１２１、パワーボタン１４、およびカメラ１５等を備える。
【００１１】
ＣＰＵ１０１は、コンピュータ１０内の各部の動作を制御するプロセッサである。ＣＰＵ１０１は、ＳＳＤ１０９から主メモリ１０３にロードされるオペレーティングシステム（ＯＳ）２０１及び各種アプリケーションプログラムを実行する。アプリケーションプログラムには、音楽再生プログラム２０２、カメラプログラム２０３、設定プログラム２０４が含まれている。本コンピュータ１０はマルチタスクに対応している。ＣＰＵ１０１は、アプリケーションプログラムの内の一つのプログラムを主に実行する。
【００１２】
音楽再生プログラム２０２は、音声のファイルを再生するためのアプリケーションプログラムである。また、カメラプログラム２０３は、カメラ１５によって撮影された画像データファイルを圧縮したり、圧縮されたファイルを特定のフォルダに格納したりする機能を有する。設定プログラム２０４は、後述する割り当てテーブルを作成するためのプログラムである。
【００１３】
また、ＣＰＵ１０１は、ＢＩＯＳ−ＲＯＭ１０７に格納されたＢＩＯＳ（basic input/output system）も実行する。ＢＩＯＳは、ハードウェア制御のためのプログラムである。  
ブリッジ回路１０２は、ＣＰＵ１０１のローカルバスと、ＰＣＩ（Peripheral Component Interconnect）バス上の各デバイス及びＬＰＣ（Low Pin Count）バス上の各デバイスと、の間を接続するブリッジデバイスである。また、ＳＳＤ１０９を制御するためのシリアルＡＴＡ（Advanced Technology Attachment）コントローラを内蔵している。さらに、サウンドコントローラ１０６との通信を実行する機能も有している。あるいは、ＰＣＩ ＥＸＰＲＥＳＳ規格のシリアルバスなどを介してＧＰＵ１０５との通信を実行する機能も有している。
【００１４】
ＧＰＵ１０５は、コンピュータ１０のディスプレイモニタとして使用されるＬＣＤ１７Ａを制御する表示コントローラである。このＧＰＵ１０５によって生成される映像信号（表示信号ともいう）はＬＣＤ１７Ａに送られる。
【００１５】
サウンドコントローラ１０６は音源デバイスであり、再生対象のオーディオデータをスピーカ１８Ａ及びスピーカ１８Ｂに出力する。無線ＬＡＮコントローラ１１２は、例えばＩＥＥＥ ８０２．１１規格の無線通信を実行する無線通信デバイスである。
【００１６】
ＥＣ１１３は、電力管理のためのエンベデッドコントローラである。ＥＣ１１３は、ユーザによるパワーボタン１４の操作に応じてコンピュータ１０をパワーオン／パワーオフする機能を有している。電源回路１２１は、コンピュータ１０内のバッテリ１２２から供給される電力、またはＡＣアダプタ１２３のような外部電源から供給される電力を用いて、各コンポーネントに供給すべき動作電力を生成する。また、電源回路１２１は、外部電源から供給される電力を用いてバッテリ１２２の充電も行う。
【００１７】
タッチスクリーンディスプレイ１７には、ＬＣＤ１７Ａのほか、タッチパネル１７Ｂが組み込まれている。ＬＣＤ１７Ａに重ね合わせて配置されるタッチパネル１７Ｂは、センサやＭＣＵ（Micro controller unit）等を有している。タッチパネル１７Ｂ上でタッチ操作が行われると、そのタッチされた位置がセンサによって検出され、当該タッチパネル１７Ｂ上のタッチされた位置を含む入力情報がタッチコントローラによって出力される。
【００１８】
コンピュータ１０は、起動中にパワーボタン１４を操作したり、操作されない時間が一定期間続いたいりすると、通常状態より消費電力が低いスリープ状態になる。
【００１９】
ＥＣ１１３は、通常状態およびスリープ状態（省電力状態）に対応するコンピュータ１０の電力管理を行う。ＥＣ１１３は、スリープ状態であっても、タッチパネル１７Ｂに駆動電力を供給する。
【００２０】
スリープ状態を解除したりする時に、パスコードを入力する必要があるように設定することが可能である。本装置では、パスコードを入力しなくても、タッチスクリーンディスプレイ１７上を複数の指でタッチすることで、対応するアプリケーションプログラムを起動することが可能になる。
【００２１】
図３は、簡易起動を実現するためのシステム構成を示すブロック図である。  
オペレーティングシステム（ＯＳ）２０１は、復帰制御部２０１Ａ、描画処理部２０１Ｂ、およびグラフィックスドライバ２０１Ｃ等を有する。タッチパネル１７Ｂは、センサ３０１およびタッチコントローラ３０２等を有する。タッチコントローラ３０２は、メモリ３０２Ａを有する。ＳＳＤ１０９内には、割り当てテーブル１０９Ａが格納されている。
【００２２】
図４は、割り当てテーブル１０９Ａに格納されているデータを示す図である。図４に示すように、割り当てテーブル１０９Ａには、タッチ位置数に対して起動プログラムを示す情報として起動プログラムのフルパスが関連付けられている。例えば、図４に示すように、タッチ位置数“３”に対して音楽再生プログラムのフルパス（ｃ：＼．．．＼ｍｕｓｉｃｐｌａｙｅｒ．ｅｘｅ）が関連付けられ、タッチ位置数“４”に対してカメラプログラムのフルパス（ｃ：＼．．．＼ｃａｍｅｒａ．ｅｘｅ）が関連付けられている。
【００２３】
この割り当てテーブル１０９Ａは、設定プログラム２０４によって生成される。ユーザは、設定プログラム２０４を用いて、タッチ位置数に対して起動するプログラム選択する。設定プログラム２０４は、セキュリティリスクがあるプログラム（例えば、メーラー、連絡先プログラム等）が選択されないようにする。
【００２４】
タッチパネル１７Ｂ上の複数の位置がタッチされことをセンサ３０１が検出した場合、センサ３０１は、複数の位置がタッチされたことをタッチコントローラ３０２に通知する。タッチコントローラ３０２は、通知に応じてタッチ位置数を示すタッチ位置数情報をメモリ３０２Ａに格納する。タッチコントローラ３０２は、ＥＣ１１３にコンピュータ１０を通常状態にすることを要求する。通常状態になった後、復帰制御部２０１Ａからタッチ位置数の問い合わせがあると、タッチコントローラ３０２は、メモリ３０２Ａに格納されているタッチ位置数情報を復帰制御部２０１Ａに返答する。
【００２５】
ＥＣ１１３は、コンピュータ１０を通常状態に復帰させる処理を行う。通常状態になった後、復帰制御部２０１Ａから復帰の要因の問い合わせがあると、ＥＣ１１３は、復帰制御部２０１Ａに通常状態への復帰の要因を返答する。パワーボタン１４の操作による復帰であれば、ＥＣ１１３は、パワーボタン１４の操作による復帰であることを返答する。また、タッチコントローラ３０２の要求による復帰であれば、ＥＣ１１３は、タッチコントローラ３０２の要求による復帰であることを返答する。
【００２６】
通常状態になると、復帰制御部２０１Ａは、ＥＣ１１３に復帰の要因を問い合わせる。ＥＣ１１３からの回答が、タッチコントローラ３０２の要求による復帰を示している場合、復帰制御部２０１Ａは、タッチコントローラ３０２にタッチ位置数を問い合わせる。タッチコントローラ３０２からタッチ位置数情報が通知されたら、復帰制御部２０１Ａは、タッチ位置数情報に一致するタッチ位置数情報が割り当てテーブル１０９Ａ内に記録されているかを判定する。記録されている場合、復帰制御部２０１Ａは、割り当てテーブル１０９Ａからタッチ位置数情報に割り当てられているプログラムを示す情報（フルパス）を取得する。復帰制御部２０１Ａは、取得したプログラムのフルパスに基づいてプログラムを起動する。起動後、復帰制御部２０１Ａは、他のプログラムの起動およびＣＰＵ１０１が主に実行するプログラムを他のプログラムへ切り替えることを禁止する。他のプログラムの起動を禁止することで、他のプログラムが使用されることを防止する。また、復帰の要因の問い合わせに対して、パワーボタン１４の操作による復帰であることが通知された場合、復帰制御部２０１Ａは、パスコードの入力画面をＬＣＤ１７Ａに表示させる。
【００２７】
描画処理部２０１Ｂは、最後に起動されたプログラムによって生成された表示データに基づいた画像をＬＣＤ１７Ａに表示するため処理を行う。描画処理部２０１Ｂは、表示データに基づいた画像データを生成し、生成された画像データをグラフィックスドライバ２０１Ｃを介してＧＰＵ１０５に送信することでＬＣＤ１７Ａに画像を表示させる。本コンピュータ１０はマルチタスクに対応しているが、一つのプログラムによって生成された表示データに基づいた画像が主にＬＣＤ１７Ａに表示される。
【００２８】
次に、図５は、簡易起動の処理の手順を示すフローチャートである。  
省電力状態時に、タッチコントローラ３０２は、センサ３０１から出力された信号に基づいて、タッチスクリーンディスプレイ１７上の複数の位置に対してタッチされたマルチタッチであるかを判定する（ステップＢ１１）。マルチタッチされたと判定した場合（ステップＢ１１のＹｅｓ）、タッチコントローラ３０２は、メモリ３０２Ａ内にマルチタッチの数、即ちタッチ位置数を格納する（ステップＢ１２）。タッチコントローラ３０２は、ＥＣ１１３に対して通常状態への復帰を要求する（ステップＢ１３）。要求時に、タッチコントローラ３０２は、マルチタッチによる復帰要求であることを通知する。ＥＣ１１３は、タッチコントローラ３０２からの要求に応じて、コンピュータ１０を通常状態へ復帰させるための処理を実行する（ステップＢ１５）。また、ＥＣ１１３は、パワーボタン１４の操作を検出した場合（ステップＢ１４）、コンピュータ１０を通常状態へ復帰させるための処理を実行する（ステップＢ１５）。
【００２９】
オペレーティングシステム２０１がＣＰＵ１０１によって実行されると、復帰制御部２０１Ａは、復帰の要因をＥＣ１１３に問い合わせる（ステップＢ１６）。ＥＣ１１３は、問合せに対して、復帰要因を通知する（ステップＢ１７）。マルチタッチが要因であれば（ステップＢ１３）、ＥＣ１１３は、マルチタッチが要因であることを復帰制御部２０１Ａに通知する。また、パワーボタン１４の操作が要因であれば（ステップＢ１４）、ＥＣ１１３は、パワーボタン１４の操作が要因であることを復帰制御部２０１Ａに通知する。
【００３０】
復帰制御部２０１Ａは、通知された復帰要因に基づいて、マルチタッチによる復帰であるかを判定する（ステップＢ１８）。マルチタッチによる復帰であると判定した場合（ステップＢ１８のＹｅｓ）、復帰制御部２０１Ａは、タッチコントローラ３０２に対して、タッチ位置数を問い合わせる（ステップＢ１９）。タッチコントローラ３０２は、メモリ３０２Ａに格納されているタッチ位置数を復帰制御部２０１Ａに通知する（ステップＢ２０）。
【００３１】
復帰制御部２０１Ａは、割り当てテーブル１０９Ａ内に通知されたタッチ位置数に関連付けられているプログラム情報があるかを判定する（ステップＢ２１）。プログラム情報があると判定した場合（ステップＢ２１のＹｅｓ）、復帰制御部２０１Ａは、割り当てテーブル１０９Ａから通知されたタッチ位置数に関連付けられているプログラム情報を取得する（ステップＢ２２）。復帰制御部２０１Ａは、取得したプログラム情報（プログラムのフルパス）に基づいて、プログラムを起動する（ステップＢ２３）。
【００３２】
ステップＢ２１において、プログラム情報がないと判定した場合（ステップＢ２１のＮｏ）、復帰制御部２０１Ａは、ＥＣ１１３に対して省電力状態への移行を要求する（ステップＢ２４）。ＥＣ１１３は、省電力状態に移行するための処理を実行する（ステップＢ２５）。
【００３３】
ステップＢ１８において、マルチタッチによる復帰ではないと判定した場合（ステップＢ１８のＮｏ）、復帰制御部２０１Ａは、パスコード入力画面をＬＣＤ１７Ａに表示する（ステップＢ２６）。パスコードが入力されたら、復帰制御部２０１Ａは、入力されたパスコードと予め登録されているパスコードとが一致するかを判定する（ステップＢ２７）。パスコードが一致すると判定した場合（ステップＢ２７のＹｅｓ）、ＥＣ１１３に対して省電力状態への移行を要求する（ステップＢ２４）。パスコードが一致しないと判定した場合（ステップＢ２７のＮｏ）、省電力状態に移行する前の通常状態を再現する（ステップＢ２８）。
【００３４】
以上説明したように、マルチタッチを行った場合に、タッチ位置数に関連付けられているプログラムを起動することが可能になる。一般的には、操作性を重視するあまり、セキュリティ対策(例えば、パスコードロック)をしていないコンピュータも多いが、この起動方法を実装することで、セキュリティに関係のないアプリが簡単に使えることになり、セキュリティロックの実施が進むことが期待できる。
【００３５】
・パワーオン方法
コンピュータ１０の電源オフ（シャットダウン）状態からパワーオンする（オン状態にする）方法について説明する。  
通常のコンピュータは、パワーボタン１４を操作するだけでパワーオンになる。しかし、タブレット型パーソナルコンピュータ１０は、バッグの中に入れられることが多く、誤操作によりパワーオンされることがある。
【００３６】
コンピュータ１０は、誤動作によるパワーオンを防止するために、パワーボタン１４の操作時にタッチスクリーンディスプレイ１７がマルチタッチされていないと、パワーオンにするための処理が実行されない。
【００３７】
図６は、パワーオン時の処理の手順を示すフローチャートである。
【００３８】
ＥＣ１１３がパワーボタン１４の操作を検出した場合（ステップＢ３１）、ＥＣ１１３はタッチパネル１７Ｂ（タッチセンサ３０１およびタッチコントローラ３０２）に駆動電源を供給する（ステップＢ３２）。ＥＣ１１３は、タッチ位置を示すタッチ位置情報をタッチコントローラ３０２から取得する（ステップＢ３３）。タッチを検出していれば、タッチコントローラ３０２は、タッチされている位置の座標を全て含むタッチ位置情報をＥＣ１１３に通知する。また、タッチを検出していなければ、タッチコントローラ３０２は、タッチされていないことを示すデータをＥＣ１１３に通知する。
【００３９】
タッチコントローラ３０２からの通知に応じて、ＥＣ１１３は、タッチされていたかを判定する（ステップＢ３４）。タッチされていると判定した場合、ＥＣ１１３は、タッチ位置情報に基づいて、タッチ位置数を算出する（ステップＢ３５）。ＥＣ１１３は、予め登録されているタッチ位置数をメモリ１１３Ａから読み出す（ステップＢ３６）。
【００４０】
ＥＣ１１３は、ステップＢ３４において算出されたタッチ位置数が、メモリ１１３Ａから読み出されたタッチ位置数と一致するかを判定する（ステップＢ３７）。一致すると判定した場合（ステップＢ３７のＹｅｓ）、ＥＣ１１３は、コンピュータ１０を構成する各コンポーネントに駆動電源を供給し、コンピュータ１０をパワーオンする処理を実行する（ステップＢ３８）。一致しないと判定した場合（ステップＢ３７のＮｏ）、ＥＣ１１３は、タッチパネル１７Ｂへの駆動電源の供給を停止する（ステップＢ３９）。
【００４１】
なお、メモリ１１３Ａにタッチ位置数を予め格納しておく必要がある。メモリ１１３Ａにタッチ位置数が格納されていない場合は、ステップＢ３７における二つのタッチ位置数の比較結果が等しいと判断しても良い。
【００４２】
パワーオン方法によれば、かばんの中などに機器を入れている時に、誤って電源が入るのを防止することが可能になる。
【００４３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４４】
１０…タブレット型パーソナルコンピュータ（電子機器）、１４…パワーボタン、１７…タッチスクリーンディスプレイ、１７Ａ…ＬＣＤ、１７Ｂ…タッチパネル、１０１…中央処理装置、１１３…エンベデッドコントローラ（電力管理部）、１１３Ａ…メモリ、２０１…オペレーティングシステム、２０１Ａ…復帰制御部、２０１Ｂ…描画処理部、２０１Ｃ…グラフィックスドライバドライバ、２０２…音楽再生プログラム、２０３…カメラプログラム、２０４…設定プログラム、３０１…センサ、３０２…タッチコントローラ。
【図１】
2013246631.tif 000003
【図２】
2013246631.tif 000004
【図３】
2013246631.tif 000005
【図４】
2013246631.tif 000006
【図５】
2013246631.tif 000007
【図６】
2013246631.tif 000008